(57)【要約】  電気爪磨きデバイスと複数の解除可能に接続可能なヘッドとを含む電気爪磨き装置を説明し、電気爪磨きデバイスは、ドライブシャフトの近位端に接続された変速機構に接続された回転シャフトを有するモータに電気的に接続された電源を収容する本体ハウジングを含み、変速機構は、回転シャフトの回転運動をドライブシャフトの振動長手移動に変換するように構成され、ドライブシャフトの遠隔端は、ハウジングの先端を超えて延び、ハウジングの先端は、少なくとも２ｍｍだけ本体ハウジングから離れるように延びて平坦側面を有するフェース面を本体ハウジングの直径線で又はそれに隣接して設けられるように構成され、平坦側面の端部は、１又は２以上の半径を有する湾曲側面によって接合され、解除可能に接続可能なヘッドは、爪接触材料を設けた一方の側面を有する着地板を含み、着地板の他方の側面には、着地板の周囲の内向きにヘッドハウジングが設けられ、ヘッドハウジングは、上部端で閉じられ、ベース端で開かれ、かつドライブシャフトの遠隔端及びハウジングの先端をそこに受け入れる空洞が設けられ、空洞は、先端の形状に対応し、空洞内には、ドライブシャフトに解除可能に接続するように構成されたソケットが設けられ、着地平面が、着地板のベース端から内向きに少なくとも２ｍｍの位置に位置付けられたヘッドハウジングの空洞端によって着地板のベース端に与えられる。【選択図】      図３
2018524094.tif 000002
【特許請求の範囲】
【請求項１】
電気爪磨きデバイスと複数の解除可能に接続可能なヘッドとを含む電気爪磨き装置であって、
前記電気爪磨きデバイスは、ドライブシャフトの近位端に接続された変速機構に接続された回転シャフトを有するモータに電気的に接続された電源を収容する本体ハウジングを含み、該変速機構は、該回転シャフトの回転運動を該ドライブシャフトの振動長手移動に変換するように構成され、該ドライブシャフトの遠隔端が、該ハウジングの先端を超えて延び、該ハウジングの該先端は、少なくとも２ｍｍだけ該本体ハウジングから離れるように延びて該本体ハウジングの直径線で又はそれに隣接した平坦側面を有するフェース面を与えるように構成され、該平坦側面の端部が、１又は２以上の半径を有する湾曲側面によって接合され、
前記解除可能に接続可能なヘッドは、爪接触材料を設けた一方の側面を有する着地板を含み、該着地板の他方の側面には、該着地板の周囲の内向きにヘッドハウジングを設け、該ヘッドハウジングは、上部端で閉じられ、ベース端で開かれ、かつ前記ドライブシャフトの前記遠隔端と前記ハウジングの前記先端とをそこに受け入れる空洞を設け、該空洞は、該先端の形状に対応し、該空洞内には、該ドライブシャフトに解除可能に接続するように構成されたソケットが設けられ、着地平面が、該着地板のベース端において、該着地板の該ベース端から内向きに少なくとも２ｍｍの位置に位置付けられた該ヘッドハウジングの空洞端によって与えられる、
ことを特徴とする装置。
【請求項２】
前記着地平面は、２ｍｍ〜１０ｍｍの間で前記ヘッドハウジングの前記空洞端を超えて延び、より好ましくは、２ｍｍ〜７ｍｍの間で延び、更により好ましくは、３ｍｍ〜６ｍｍの間で延び、最も好ましくは、５ｍｍだけ延びることを特徴とする請求項１に記載の電気爪磨き装置。
【請求項３】
前記空洞の内部と前記爪磨きデバイスの先端との間のクリアランスが、１ｍｍ〜５ｍｍの間、好ましくは、１ｍｍ〜３ｍｍの間、最も好ましくは、１ｍｍ〜２ｍｍの間であることを特徴とする請求項１又は請求項２に記載の電気爪磨き装置。
【請求項４】
前記爪接触材料は、前記着地板の表面積を完全に埋めることを特徴とする請求項１から請求項３のいずれか１項に記載の電気爪磨き装置。
【請求項５】
前記爪接触材料は、以下の効果、すなわち、ヤスリ掛け、バフ研磨、又は艶出しのうちの１つを付与するのに適切である材料であることを特徴とする請求項１から請求項４のいずれか１項に記載の電気爪磨き装置。
【請求項６】
前記ハウジングの前記先端から突出する前記ドライブシャフトには、カラーが設けられ、該カラーは、前記ヘッドハウジングの前記ソケットとの解除可能な接続を得るように構成され、該解除可能な接続は、可聴クリックを与えることを特徴とする請求項１から請求項５のいずれか１項に記載の電気爪磨き装置。
【請求項７】
前記ドライブシャフトには、そこから除去されたノッチが設けられ、前記ヘッドハウジングの前記ソケットは、該ノッチとの解除可能な接続を得るように構成され、該解除可能な接続は、可聴クリックを与えることを特徴とする請求項１から請求項５のいずれか１項に記載の電気爪磨き装置。
【請求項８】
前記デバイスの前記ハウジングの前記先端は、２ｍｍ〜１０ｍｍの間だけ前記本体ハウジングから延び、より好ましくは、２ｍｍ〜７ｍｍの間だけ延び、更により好ましくは、３ｍｍ〜６ｍｍの間だけ延び、最も好ましくは、６ｍｍだけ延びることを特徴とする請求項１から請求項７のいずれか１項に記載の電気爪磨き装置。
【請求項９】
中間ハウジングが、前記先端と前記本体ハウジングの間に与えられ、該中間ハウジングが与えられる場合に、該先端は、該本体ハウジングではなく該中間ハウジングから離れるように延び、該中間ハウジングには、先細の面が設けられ、かつキャップ係合手段が設けられることを特徴とする請求項１から請求項８のいずれか１項に記載の電気爪磨き装置。
【請求項１０】
キャップには、前記デバイスの前記ドライブシャフトに接続された解除可能に接続可能なヘッドをそこに収容するのに十分な容積の空洞が設けられ、該キャップは、前記中間ハウジングの前記キャップ係合手段と係合して該キャップを該デバイスに解除可能に固定するようなサイズにされることを特徴とする請求項９に記載の電気爪磨き装置。
【請求項１１】
電気爪磨きデバイスへの解除可能な接続のための解除可能に接続可能なヘッドであって、
前記電気爪磨きデバイスは、ドライブシャフトの近位端に接続された変速機構に接続された回転シャフトを有するモータに電気的に接続された電源を収容する本体ハウジングを含み、該変速機構は、該回転シャフトの回転運動を該ドライブシャフトの振動長手移動に変換するように構成され、該ドライブシャフトの遠隔端が、該ハウジングの先端を超えて延び、該ハウジングの該先端は、少なくとも２ｍｍだけ該本体ハウジングから離れるように延びて該本体ハウジングの直径線で又はそれに隣接した平坦側面を有するフェース面を与えるように構成され、該平坦側面の端部が、１又は２以上の半径を有する湾曲側面によって接合され、
解除可能に接続可能なヘッドが、爪接触材料を設けた一方の側面を有する着地板を含み、該着地板の他方の側面には、該着地板の周囲の内向きにヘッドハウジングを設け、該ヘッドハウジングは、上部端で閉じられ、ベース端で開かれ、かつ前記ドライブシャフトの前記遠隔端と前記ハウジングの前記先端とをそこに受け入れる空洞を設け、該空洞は、該先端の形状に対応し、該空洞内には、該ドライブシャフトに解除可能に接続するように構成されたソケットが設けられ、着地平面が、該着地板のベース端において、該着地板の該ベース端から内向きに少なくとも２ｍｍの位置に位置付けられた該ヘッドハウジングの空洞端によって与えられる、
ことを特徴とするヘッド。
【請求項１２】
前記着地平面は、２ｍｍ〜１０ｍｍの間で前記ヘッドハウジングの前記空洞端を超えて延び、より好ましくは、２ｍｍ〜７ｍｍの間で延び、更により好ましくは、３ｍｍ〜６ｍｍの間で延び、最も好ましくは、５ｍｍだけ延びることを特徴とする請求項１１に記載の解除可能に接続可能なヘッド。
【請求項１３】
前記空洞の内部と前記爪磨きデバイスの先端との間のクリアランスが、１ｍｍ〜５ｍｍの間、好ましくは、１ｍｍ〜３ｍｍの間、最も好ましくは、１ｍｍ〜２ｍｍの間であることを特徴とする請求項１１又は請求項１２に記載の解除可能に接続可能なヘッド。
【請求項１４】
前記着地板は、より正確な爪磨きを容易にするためにその上部端で湾曲していることを特徴とする請求項１１から請求項１３のいずれか１項に記載の解除可能に接続可能なヘッド。
【請求項１５】
前記爪接触材料は、前記着地板の表面積を完全に埋めることを特徴とする請求項１１から請求項１４のいずれか１項に記載の解除可能に接続可能なヘッド。
【請求項１６】
前記爪接触材料は、以下の効果、すなわち、ヤスリ掛け、バフ研磨、又は艶出しのうちの１つを付与するのに適切である材料であることを特徴とする請求項１１から請求項１４のいずれか１項に記載の解除可能に接続可能なヘッド。
【発明の詳細な説明】
【技術分野】
【０００１】
本発明は、電気爪磨き装置に関し、より詳細には、爪の面に対するヤスリ掛け又は摩滅効果、爪の面に対するバフ研磨効果、又は爪の面に対する艶出し効果のうちの少なくとも１つを付与する複数の相互交換可能ヘッドを設けた電動電気爪磨きデバイスを含む電気爪磨き装置に関する。
【背景技術】
【０００２】
使用時に異なる効果を付与することができる相互交換可能ヘッドを有する電動爪磨きデバイスは公知である。作動時に、ユーザは、デバイスを典型的に３段行程の一部として使用し、最初に、ユーザは、ヤスリ掛けヘッドを接続するであろう。ユーザは、次に、デバイスを起動し、モータは、ヤスリ掛けヘッドの振動直線運動を引き起こし、ユーザは、ヘッドのヤスリ掛け面を指の爪又は足指の爪に適用し、必要に応じて爪をヤスリ掛けするであろう。ユーザは、次に、ヘッドを停止し、ヤスリ掛けヘッドを個別のバフ研磨ヘッドと交換するであろう。同様に、ユーザは、次に、デバイスを起動し、バフ研磨ヘッドの振動直線運動を引き起こし、これを必要に応じて指の爪又は足指の爪に適用するであろう。ユーザは、次に、ヘッドを停止し、バフ研磨ヘッドを個別の艶出しヘッドと交換するであろう。最後に、ユーザは、次に、デバイスを起動し、艶出しヘッドの振動直線運動を引き起こし、これを必要に応じて指の爪又は足指の爪に適用し、次に、デバイスを停止するであろう。これらの公知のデバイスは、ユーザの爪をヤスリ掛け／バフ研磨／艶出しする際の使用に効率を与えるために振動直線運動を高頻度で与えるが、１つの潜在的な欠点は、必要とされるヘッド交換作動の数に起因して、仮に彼らがヘッド交換作動を間違って行った場合にユーザが彼らの爪を不正確なヤスリ掛け／バフ研磨／艶出しに不用意に露出する場合があることである。本発明は、この及び他の欠点に対処することを追求するものである。
【発明の概要】
【課題を解決するための手段】
【０００３】
本発明の第１の態様により、電気爪磨きデバイスと複数の解除可能に接続可能なヘッドとを含む電気爪磨き装置を提供し、電気爪磨きデバイスは、ドライブシャフトの近位端に接続された変速機構に接続された回転シャフトを有するモータに電気的に接続された電源を収容する本体ハウジングを含み、変速機構は、回転シャフトの回転運動をドライブシャフトの振動長手移動に変換するように構成され、ドライブシャフトの遠隔端は、ハウジングの先端を超えて延び、ハウジングの先端は、少なくとも２ｍｍだけ本体ハウジングから離れるように延びて平坦側面を有するフェース面を本体ハウジングの直径線で又はそれに隣接して設けられるように構成され、平坦側面の端部は、１又は２以上の半径を有する湾曲側面によって接合され、解除可能に接続可能なヘッドは、爪接触材料を設けた一方の側面を有する着地板を含み、着地板の他方の側面には、着地板の周囲の内向きにヘッドハウジングが設けられ、ヘッドハウジングは、上部端で閉じられ、ベース端で開かれ、かつドライブシャフトの遠隔端及びハウジングの先端をそこに受け入れる空洞が設けられ、空洞は、先端の形状に対応し、空洞内には、ドライブシャフトに解除可能に接続するように構成されたソケットが設けられ、着地平面が、着地板のベース端から内向きに少なくとも２ｍｍの位置に位置付けられたヘッドハウジングの空洞端によって着地板のベース端に与えられる。
【０００４】
本発明は、従来技術の装置に優る多くの利点を提供し、主要な利点は、解除可能に接続可能なヘッドを単一の向きにのみ爪磨きデバイスのドライブシャフトに取り付けることができることの保証である。単一の向きは、着地板のベースでヘッドハウジングから少なくとも２ｍｍだけ延びる着地板の着地平面によって容易にされる。解除可能に接続可能なヘッドを正しく向けて爪磨きデバイスに接続するために、ユーザは、空洞がドライブシャフトの遠隔端を飲み込んでデバイスハウジングの先端を取り囲み、そのために着地平面が先端の平坦側面に隣接し、これが、次に、ヘッドハウジングの空洞がその対応する形状によって先端を収容することを可能にすることになるように、ヘッドを押すことになる。対照的に、ユーザが、接続の前に解除可能に接続可能なヘッドを爪磨きデバイスの先端に正しく向けなかった場合に、着地平面は、デバイスの先端の一部に当接してその間の接続を妨げることになる。
【０００５】
着地平面によって与えられる更に別の利点は、着地板のより大きい表面積の具備、すなわち、爪接触材料の表面積の増大であり、これは、ユーザにとって改善された爪磨き結果を可能にすることができる。
【０００６】
着地平面によって与えられる更に別の利点は、それが、先端のより大きい割合がヘッドによって取り囲まれることを可能にし、これは、ユーザが、指の爪又は足指の爪を磨く行為中に解除可能に接続可能なヘッドと爪磨きデバイスの間の接続に対して垂直力を付与している時に使用中の安定性の改善を提供することができることである。
【０００７】
好ましくは、着地平面は、２ｍｍ〜１０ｍｍの間でヘッドハウジングの空洞端を超えて延び、より好ましくは、２ｍｍ〜７ｍｍの間で延び、更に好ましくは、３ｍｍ〜６ｍｍの間で延び、最も好ましくは５ｍｍだけ延びる。
【０００８】
解除可能に接続可能なヘッドのヘッドハウジングには、ドライブシャフトの遠隔端及びハウジングの先端をそこに受け入れて先端の形状に対応する空洞が設けられ、空洞の内部と爪磨きデバイスの先端の間のクリアランスは、１ｍｍ〜５ｍｍの間、好ましくは、１ｍｍ〜３ｍｍの間、最も好ましくは、１ｍｍ〜２ｍｍの間である。
【０００９】
着地板は、好ましくは、より正確な爪磨きを容易にするためにその上部端で湾曲している。
【００１０】
爪接触材料は、好ましくは、着地板の表面積を完全に埋める。爪接触材料は、以下の効果、すなわち、ヤスリ掛け、バフ研磨、又は艶出しのうちの１つを付与するのに適切である材料とすることができる。
【００１１】
ハウジングの先端から突出するドライブシャフトには、カラーを設けることができ、カラーは、ヘッドハウジングのソケットとの解除可能な接続を得るように構成され、解除可能な接続は、正しい接続が行われたという確認をユーザに与えることができる可聴クリックを提供する。これに代えて、ドライブシャフトには、そこから除去されたノッチなどを設けることができ、ヘッドハウジングのソケットは、ノッチとの解除可能な接続を得るように構成され、解除可能な接続は、正しい接続が行われたという確認をユーザに与えることができる可聴クリックを提供する。
【００１２】
デバイスのハウジングの先端は、好ましくは、２ｍｍ〜１０ｍｍの間だけ本体ハウジングから延び、より好ましくは、２ｍｍ〜７ｍｍの間だけ延び、更により好ましくは、３ｍｍ〜６ｍｍの間だけ延び、最も好ましくは、６ｍｍだけ延びる。
【００１３】
先端と本体ハウジングの間に中間ハウジングを与えることができ、中間ハウジングが与えられる場合に、先端は、本体ハウジングではなく中間ハウジングから離れるように延びる。中間ハウジングには、先細の面を設けることができ、かつキャップ係合手段を設けることができる。
【００１４】
キャップには、デバイスのドライブシャフトに接続された解除可能に接続可能なヘッドをそこに収容するのに十分な容積の空洞を設けることができ、キャップは、中間ハウジングのキャップ係合手段と係合してキャップをデバイスに解除可能に固定するようなサイズにすることができる。
【００１５】
デバイスには、ユーザが装置の作動パラメータを選択することを可能にするスライドスイッチ１２を設けることができる。スライドスイッチは、「オン」及び「オフ」を定義する２つの位置を有することができる。好ましくは、スライドスイッチには、２よりも多い位置が設けられ、第１の位置は、「オフ」を定義し、他の位置は、異なる速度で「オン」であり、ユーザがヤスリ掛け、バフ研磨、又は艶出しのような彼らの爪に彼らが付与したい特定のアクションのための移動の好ましい頻度を定義することを可能にする。
【００１６】
好ましくは、「オフ」位置にある時のスライドスイッチの全体は、本体ハウジングの周囲によって定められる境界内に位置付けられ、スイッチが１又は２以上の「オン」位置にある時に、スイッチの少なくとも一部分は、中間ハウジング及び／又はハウジングの先端の上に位置付けられる。この好ましい配置において、キャップは、キャップを中間ハウジングに接続する作動中に、スイッチを「オン」位置から「オフ」位置まで移動させるように構成することができ、それによってデバイスの安全性を改善し、かつデバイスの電力消費の節約を保証する。
【００１７】
本発明の第２の態様により、電気爪磨きデバイスへの解除可能な接続のための解除可能に接続可能なヘッドを提供し、電気爪磨きデバイスは、ドライブシャフトの近位端に接続された変速機構に接続された回転シャフトを有するモータに電気的に接続された電源を収容する本体ハウジングを含み、変速機構は、回転シャフトの回転運動をドライブシャフトの振動長手移動に変換するように構成され、ドライブシャフトの遠隔端は、ハウジングの先端を超えて延び、ハウジングの先端は、少なくとも２ｍｍだけ本体ハウジングから離れるように延びて平坦側面を有するフェース面を本体ハウジングの直径線で又はそれに隣接して有するように構成され、平坦側面の端部は、１又は２以上の半径を有する湾曲側面によって接合され、解除可能に接続可能なヘッドは、爪接触材料を設けた一方の側面を有する着地板を含み、着地板の他方の側面には、着地板の周囲の内向きにヘッドハウジングが設けられ、ヘッドハウジングは、上部端で閉じられ、ベース端で開かれ、かつドライブシャフトの遠隔端及びハウジングの先端をそこに受け入れる空洞が設けられ、空洞は、先端の形状に対応し、空洞内には、ドライブシャフトに解除可能に接続するように構成されたソケットが設けられ、着地平面が、着地板のベース端から内向きに少なくとも２ｍｍの位置に位置付けられたヘッドハウジングの空洞端によって着地板のベース端に与えられる。
【００１８】
好ましくは、着地平面は、２ｍｍ〜１０ｍｍの間でヘッドハウジングの空洞端を超えて延び、より好ましくは、２ｍｍ〜７ｍｍの間で延び、更に好ましくは、３ｍｍ〜６ｍｍの間で延び、最も好ましくは５ｍｍだけ延びる。
【００１９】
解除可能に接続可能なヘッドのヘッドハウジングには、ドライブシャフトの遠隔端及びハウジングの先端をそこに受け入れて先端の形状に対応する空洞が設けられ、空洞の内部と爪磨きデバイスの先端の間のクリアランスは、１ｍｍ〜５ｍｍの間、好ましくは、１ｍｍ〜３ｍｍの間、最も好ましくは、１ｍｍ〜２ｍｍの間である。
【００２０】
着地板は、好ましくは、より正確な爪磨きを容易にするためにその上部端で湾曲している。
【００２１】
爪接触材料は、好ましくは、着地板の表面積を完全に埋める。爪接触材料は、以下の効果、すなわち、ヤスリ掛け、バフ研磨、又は艶出しのうちの１つを付与するのに適切である材料とすることができる。
【００２２】
ここで、添付図面を参照して本発明を以下で更に説明する。
【図面の簡単な説明】
【００２３】
【図１】本発明による爪磨きデバイスの先端の端面図である。
【図２】本発明による爪磨きデバイスの斜視図である。
【図３】本発明による爪磨き装置の斜視図である。
【図４】本発明による爪磨き装置の側面図である。
【図５】本発明による爪磨き装置の平面図である。
【図６】本発明による解除可能に接続可能なヘッド装置の斜視図である。
【図７】本発明による解除可能に接続可能なヘッド装置の側面図である。
【発明を実施するための形態】
【００２４】
図１及び図２を参照すると、電気爪磨きデバイス１が示されている。デバイス１は、１又は２以上のバッテリのような電源（図示せず）を収容するようなサイズにされた本体ハウジング２を有し、電源は、モータ（図示せず）に電気的に接続される。モータには、ドライブシャフト３の近位端を駆動するように構成された変速機構（図示せず）に接続された回転シャフト（図示せず）が設けられる。変速機構は、使用中に、回転シャフトの回転運動をドライブシャフト３の振動長手移動に変換するように構成され、ドライブシャフト３の遠隔端４は、ハウジング２の先端５を超えて延び、ハウジングの先端５は、本体ハウジング２の直径線での又はそれに隣接した平坦側面７を有するフェース面６を与えるために少なくとも２ｍｍだけ本体ハウジング２から離れるように延びるように構成され、平坦側面７の端部は、１又は２以上の半径を有する湾曲側面８によって接合される。中間ハウジング９が、先端５と本体ハウジング２の間に与えられる。
【００２５】
デバイスのハウジングの先端５は、好ましくは、２ｍｍ〜１０ｍｍの間だけ中間ハウジング９から延び、図２において、先端５は、約６ｍｍだけ延びるように示されている。
【００２６】
中間ハウジング９には、先細の面１０が設けられ、かつ本体ハウジングとの境界でのキャップ係合手段１１と共に示されている。キャップ（図示せず）は、中間ハウジング９のキャップ係合手段１１と係合してキャップをデバイス１に解除可能に固定するようなサイズで与えることができる。
【００２７】
スライドスイッチ１２が、ユーザがデバイス１の作動パラメータを選択することを可能にするように与えられ、スライドスイッチ１２は、「オン」及び「オフ」を定義する２つの位置を有することができるが、好ましくは、２よりも多い位置が設けられ、第１の位置は、「オフ」を定義し、他の位置は、異なる速度で「オン」であり、ユーザが、使用中に彼らがヤスリ掛け、バフ研磨、又は艶出しのような彼らが彼らの爪に付与したい特定のアクションのための移動の好ましい頻度を定義することを可能にする。
【００２８】
図６及び図７に移ると、解除可能に接続可能なヘッド１３が示されている。ヘッド１３は、爪接触材料１５が設けられた一方の側面を有する着地板１４を有し、着地板１４の他方の側面には、着地板１７の周囲の内向きにヘッドハウジング１６が設けられている。ヘッドハウジング１６は、上部端１８で閉じられ、ベース端１９で開かれ、かつハウジングのドライブシャフト４先端５の遠隔端をそこに受け入れる空洞（図示せず）が設けられ、空洞は、先端５の形状に対応する。空洞内には、ドライブシャフト４の遠隔端に解除可能に接続するように構成されたソケット（図示せず）が与えられる。
【００２９】
着地板１４のベース端１９では、着地板１４のベース端１９から内向きに少なくとも２ｍｍに位置付けられたヘッドハウジング１６の空洞端によって着地平面２０が与えられる。
【００３０】
着地平面２０は、２ｍｍ〜１０ｍｍの間でヘッドハウジングの空洞端を超えて延び、かつ約５ｍｍだけ延びるように図６及び図７に示されている。
【００３１】
空洞は、ドライブシャフト４の遠隔端及びハウジングの先端５をそこに受け入れ、かつ先端の形状に対応し、空洞の内部と先端５との間のクリアランスは、１ｍｍ〜５ｍｍの間であり、かつ図３〜図５では約１ｍｍ〜２ｍｍの間として示されている。
【００３２】
着地板１４は、より正確な爪磨きを容易にするためにその上部端１８で湾曲している。
【００３３】
爪接触材料１５は、着地板１４の表面積を完全に充填する。爪接触材料１５は、以下の効果、すなわち、ヤスリ掛け、バフ研磨、又は艶出しのうちの１つを付与するのに適切である材料とすることができる。
【００３４】
図３〜図５に移ると、電気爪磨き装置２１は、解除可能に接続可能なヘッド１３が解除可能にそこに接続された電気爪磨きデバイス１を含んで示されている。見ることができるように、解除可能に接続可能なヘッド１３は、単一の向きにのみ爪磨きデバイス２のドライブシャフト４の遠隔端に取り付けることができる。単一の向きは、着地板のベース１９でヘッドハウジング１６から少なくとも２ｍｍだけ延びる着地板１４の着地平面２０によって容易にされる。解除可能に接続可能なヘッド１３を正しく向けて爪磨きデバイス２に接続するために、ユーザは、空洞がドライブシャフト４を飲み込んでデバイスハウジングの先端５を取り囲み、そのために着地平面２０が先端５の平坦側面７に隣接し、これが、次に、空洞が先端５をその対応する形状に起因して収容することを可能にすることになるように、ヘッド１３を押すことになる。対照的に、ユーザが、接続前に解除可能に接続可能なヘッド１３を爪磨きデバイスの先端５に正しく向けなかった場合に、着地平面２０は、デバイスの先端５の一部に当接してその間の接続を妨げることになる。
【符号の説明】
【００３５】
１  電気爪磨きデバイス
１３  解除可能に接続可能なヘッド
２１  電気爪磨き装置
【図１】
2018524094.tif 000003
【図２】
2018524094.tif 000004
【図３】
2018524094.tif 000005
【図４】
2018524094.tif 000006
【図５】
2018524094.tif 000007
【図６】
2018524094.tif 000008
【図７】
2018524094.tif 000009
【国際調査報告】
2018524094.tif 000010
2018524094.tif 000011